(57)【要約】【課題】環境保全性が高く、難燃性を容易に確保することができ、かつ安価なシールド電線を提供する。【解決手段】本発明のシールド電線１０は、中心に配された中心導体１１と、この中心導体１１の外側の絶縁被覆層１２と、この絶縁被覆層１２の外側のシールド層１３と、このシールド層１３の外側のノンハロゲン系の材料から成るシース層１４とを有するシールド電線１０において、絶縁被覆層１２とシールド層１３との間に、不織布テープを重ね巻きした不織布テープ層２０を設ける。【選択図】図１
2007323933.tif 000002
【特許請求の範囲】
【請求項１】
中心に配された中心導体と、この中心導体の外側の絶縁被覆層と、この絶縁被覆層の外側のシールド層と、このシールド層の外側のノンハロゲン系の材料から成るシース層とを有するシールド電線であって、
前記絶縁被覆層と前記シールド層との間、または前記シールド層と前記シース層との間に、不織布テープを巻いた不織布テープ層を設けたことを特徴とするシールド電線。
【請求項２】
請求項１に記載のシールド電線であって、
絶縁被覆された前記中心導体が撚線であることを特徴とするシールド電線。
【発明の詳細な説明】
【技術分野】
【０００１】
本発明は、シールド電線に係り、例えば環境に悪影響を与えることなく難燃性の高いシールド電線に関するものである。
【背景技術】
【０００２】
従来、シールド電線のシース層にはＰＶＣ（ポリ塩化ビニル）が含まれており、燃焼した際にＰＶＣに含まれているハロゲン元素（例えば、塩素）が環境に悪影響を与えるという理由から、シース層にハロゲン元素を含まないハロゲンフリー電線の需要が増加している。そこで、環境に悪影響を与えることのないシールド電線が提案されている（例えば、特許文献１参照）。しかしながら、シースにハロゲン元素を含まないようにすると、難燃性においてハロゲン元素を含むものよりも劣る傾向があるため、難燃性の維持が望まれていた。
【０００３】
図３に示すように、特許文献１に開示されているシールド電線１００は、導体１０１上に内部半導電層１０２を介して、架橋ポリエチレン等からなる絶縁層１０３を設け、その上に外部半導電層１０４から構成されるケーブルコア１０５を内部に有している。そして、ケーブルコア１０５の外側には、銅の細線を多数本横巻きしたワイヤシールド１０６が設けられ、その外側にはアルミテープの片面に熱融着層を設けて形成されるラミネートテープ１０７が、熱融着層を外側に向けて縦添え等により設けられて遮水層が形成されている。さらに、ラミネートテープ１０７の外側の最外層は、ハロゲン元素を含まないプラスチックシース１０８により被覆されており、熱融着層を介してラミネートテープと一体となるように設けられている。
【特許文献１】特開２００１−６４４６号公報（図１）
【０００４】
上記特許文献１に開示されているシールド電線１００では、プラスチックシース１０８の材料にハロゲン元素を含まないノンハロゲン系の材料を用いることにより、燃焼時の塩素ガスやダイオキシン等の有害物質の発生を防止して環境への悪影響を防ぐとともに、アルミテープの片面に熱融着層を設けて形成されるラミネートテープ１０７により引張強度の向上を図っている。
【発明の開示】
【発明が解決しようとする課題】
【０００５】
本発明の目的は、環境保全性が高く、難燃性を容易に確保することができ、かつ安価なシールド電線を提供することにある。
【課題を解決するための手段】
【０００６】
上記課題を解決することのできる本発明に係るシールド電線は、中心に配された中心導体と、この中心導体の外側の絶縁被覆層と、この絶縁被覆層の外側のシールド層と、このシールド層の外側のノンハロゲン系の材料から成るシース層とを有するシールド電線であって、前記絶縁被覆層と前記シールド層との間、または前記シールド層と前記シース層との間に、不織布テープを巻いた不織布テープ層を設けたことを特徴とする。
【０００７】
このように構成されたシールド電線においては、シース層をノンハロゲン系の材料で形成しているので、燃焼時に塩素ガスやダイオキシン等の有害物質の発生を少なくすることができ、環境保全性を向上させることができる。また、電線の燃焼試験時には、絶縁被覆層とシールド層との間、またはシールド層とシース層との間に設けた不織布テープ層が高温のため燃焼する。すると、それに伴って絶縁被覆層が燃焼する。しかし、バーナの炎が消えると不織布及び絶縁被覆層は素早く鎮火して延焼しない。つまり、結果的に、その後の延焼を防止して難燃性を確保することができる。
また、不織布テープ層は安価であり、シールド電線のコストダウンを図ることができる。
【０００８】
また、本発明にかかるシールド電線は、絶縁被覆された前記中心導体が撚線であるものでも良い。
【発明の効果】
【０００９】
本発明によれば、ノンハロゲン系材料によりシース層を形成することにより環境保全性を維持するとともに、燃焼時には、不織布テープ層により延焼を防止して難燃性を確保することができる。さらに、ハロゲンフリーの難燃シールド電線を安価に提供することができる。
【発明を実施するための最良の形態】
【００１０】
以下、本発明に係るシールド電線の実施形態の例を図面に基づいて説明する。
図１は本実施形態のシールド電線を示す断面図である。
図１に示すように、本実施形態のシールド電線１０は、中心に配された中心導体１１と、この中心導体１１の外側の絶縁被覆層１２と、この絶縁被覆層１２の外側のシールド層１３と、このシールド層１３の外側のノンハロゲン系の材料から成るシース層１４とを有するシールド電線である。
【００１１】
そして、このシールド電線１０は、絶縁被覆層１２とシールド層１３との間に、不織布テープ層２０が設けられている。この不織布テープ層２０は、例えば、ポリエステルなどの可燃性材料から形成された十分に空気を含む不織布からなる不織布テープを重ね巻きしたものである。なお、この不織布テープ層２０における不織布テープの重なり幅は、テープ幅の１／３から３／４とするのがよい。この不織布テープ層２０における不織布テープの重なり部分があまり大きいと生産性が下がるので、不織布テープの重なり幅は、テープのせいぜい３／４とするのが現実的である。
【００１２】
中心導体１１は、通常、規格されている電気用軟銅線が用いられており、複数本が撚られて形成されている。絶縁被覆層１２には、例えば、耐熱性のポリエチレンを用いることができる。
また、シールド層１３は、例えば、軟銅線を素線として横巻きして形成することができる。また、軟鋼線の素線を編組して編組シールドとすることもできる。なお、このシールド層１３を構成する素線は、スズメッキがあっても、なくてもよい。
また、シース層１４には、例えば、難燃性のポリエチレンなどの難燃性のポリオレフィンを用いることができ、金属水酸化物等の難燃剤や難燃助剤等を適宜配合することもできる。
【００１３】
上記シールド電線１０によれば、シース層１４をノンハロゲン系の材料で形成しているので、燃焼時に塩素ガスやダイオキシン等の有害物質の発生を少なくすることができ、環境保全性を向上させることができる。
【００１４】
また、シース層１４の燃焼時には、シース層１４の内側が高温になり、絶縁被覆層１２とシールド層１３との間に巻回されて空気を含んだ不織布テープ層２０が燃焼する。これに伴って、不織布テープ層２０に隣接した内部の絶縁被覆層１２が燃焼する。
つまり、このシールド電線１０によれば、燃焼試験時に、不織布テープ層２０の燃焼によって内部の絶縁被覆層１２を燃焼させる。結果的に、その後の延焼を防止して難燃性を確保することができる。
【００１５】
ここで、ケーブルの難燃性を評価する試験としては、ＶＷ−１の垂直燃焼試験（アメリカＵＬ規格）がある。この試験は、試験対象であるケーブルの試料を垂直に設置し、その下端側にバーナの炎を１５秒間かざす着火を繰り返し、このときに、６０秒以内に消火し、試料の下部に敷いた脱脂綿が燃焼落下物によって類焼したり、試料の上部に設けたクラフト紙が燃えたり焦げたりするか否かを調べる試験で、このバーナによる着火を同一試料について５回繰り返すものである。
このＶＷ−１の垂直燃焼試験に対して、上記シールド電線１０の不織布テープ層２０はバーナの炎が消えると延焼することがないので、十分にクリアできるものと思われる。
また、燃焼の促進を安価な不織布テープ層２０により行う構造であるので、材料費を抑えることができ、シールド電線１０のコストダウンを図ることができる。
【００１６】
なお、本発明のシールド電線は、前述した実施形態に限定されるものでなく、適宜な変形、改良等が可能である。
例えば、前述したシールド電線１０においては、絶縁被覆層１２とシールド層１３との間に不織布テープ層２０を配置したが、不織布テープ層２０はシールド層１３とシース層１４との間に配置しても良い。その場合でも、シース層１４の燃焼時には、不織布テープ層２０が燃焼することで絶縁被覆層１２を燃焼させ、かつ延焼を防止する効果が得られる。
【００１７】
また、図２（Ａ）に示すように、中心導体１１を絶縁被覆層１２によって被覆した複数の導体線を撚り、図２（Ｂ）に示すように、その外周にシールド層１３、不織布テープ層及びシース層１４を形成しても良い。なお、図２では、２本の導体線を撚った２心撚りを示したが、３本以上の導体線を撚ってもよい。
【図面の簡単な説明】
【００１８】
【図１】本発明のシールド電線に係る実施形態の例を示す断面図である。
【図２】２心撚りの中心導体であって、（Ａ）は斜視図、（Ｂ）は断面図である。
【図３】従来のシールド電線の例を示す断面図である。
【符号の説明】
【００１９】
１０  シールド電線
１１  中心導体
１２  絶縁被覆層
１３  シールド層
１４  シース層
２０  不織布テープ層
【図１】
2007323933.tif 000003
【図２】
2007323933.tif 000004
【図３】
2007323933.tif 000005